(57)【要約】【課題】本発明は、テープ引き出し片とリーダーテープとの固定を簡単な構成で確実に行うことができる磁気テープ装置を提供することを目的としている。【解決手段】本発明の磁気テープ装置は、テープ引き出し片がリーダーテープの引き出し方向と実質的に直交する方向に延設された貫通孔内にリーダーテープの引き出し方向に並設された第１の軸と第２の軸とを有し、リーダーテープにおけるテープ引き出し片に接続される端部近傍に折り返し部分が形成され、この折り返し部分の先端開口部分が第１の軸により貫通され第２の軸を迂回するよう掛けられている。【選択図】図６
2006018929.tif 000002
【特許請求の範囲】
【請求項１】
装着されたテープカートリッジに収納されたテープ状の記録媒体を巻き取るための巻き取りリール、
前記巻き取りリールのハブに一端が固定されたリーダーテープ、
前記リーダーテープの他端に接続され、前記テープカートリッジ内の記録媒体の端部と係合するテープ引き出し片、及び
前記巻き取りリールを駆動して前記リーダーテープと前記テープ引き出し片とともに記録媒体を巻き取るためのテープ駆動部、を具備し、
前記テープ引き出し片が、前記リーダーテープの引き出し方向と実質的に直交する方向に並設された第１の軸と第２の軸とを有し、
前記リーダーテープにおける前記テープ引き出し片に接続される端部近傍に折り返し部分が形成されており、前記折り返し部分が前記折り返し部分の先端に形成される開口部分に前記第１の軸を通し、前記折り返し部分を前記第２の軸を迂回して前記第１の軸に近接するよう配置されたことを特徴とする磁気テープ装置。
【請求項２】
テープ引き出し片は、前記リーダーテープの引き出し方向と実質的に直交する方向に延設された貫通孔を有し、前記貫通孔に第１の軸と第２の軸を並設させて前記第１の軸と前記貫通孔の縁によりリーダーテープの折り返し部分を押圧するように構成した請求項１に記載の磁気テープ装置。
【請求項３】
第２の軸が貫通孔内に固着されており、リーダーテープに張力が加わることにより、第１の軸が前記第２の軸の配置されている方向に押圧されて、前記貫通孔と嵌合するよう構成された請求項１に記載の磁気テープ装置。
【請求項４】
第２の軸が貫通孔内に隙間を有して固着されており、第１の軸が前記貫通孔に実質的に隙間なく嵌合するよう構成された請求項２に記載の磁気テープ装置。
【請求項５】
第２の軸がテープ引き出し片と一体成形により成形された請求項１又は２に記載の磁気テープ装置。
【請求項６】
リーダーテープにおける折り返し部分の先端に形成される開口部分以外が接着剤により互いに固定された請求項１又は２に記載の磁気テープ装置。
【発明の詳細な説明】
【技術分野】
【０００１】
本発明は、テープカートリッジが装着されて記録及び／又は再生する磁気テープ装置に関し、特に装着されたテープカートリッジから磁気テープを引き出して磁気テープ装置内の巻き取りリールに巻き付けるためのテープ引き出し機構を有する磁気テープ装置に関するものである。
【背景技術】
【０００２】
近年、大容量、高速処理を目的としたテープカートリッジを使用する磁気テープ装置が用いられてきている。ここで用いられるテープカートリッジは記録媒体である磁気テープが巻き付けられた回転可能な供給リールを有しており、磁気テープ装置に装着されたテープカートリッジは、磁気テープ装置に設けられたテープ引き出し機構により磁気テープが装置内に引き出されて巻き取りリールに巻き付けられるよう構成されている。
【０００３】
したがって、テープカートリッジ内の磁気テープの先端には引き出しピンが取付けられており、テープカートリッジが装着された際に引き出しピンがテープ引き出し機構に形成された凹部と係合して引き出されるよう構成されている（例えば、特許文献１参照。）。
【０００４】
従来、この種のテープ引き出し機構は、磁気テープ装置内の巻き取りリールに一端が固定されたリーダーテープと、このリーダーテープの他端に取付けられたテープ引き出し片とを有して構成されている。そして、この従来のテープ引き出し片とリーダーテープの他端とを固着するために、リーダーテープの他端に孔を形成してその孔にテープ引き出し片のテープ接合面にある突起に係合させ、そのテープ接合面の上からリーダーテープの他端を挟着するよう押さえ片を取付けていた。また、従来のテープ引き出し片においては、リーダーテープの他端を接着剤等を用いてテープ引き出し片に固着してさらに押さえ片により固定するよう構成されていた。
【特許文献１】特表２００２−５３０７９４号公報
【発明の開示】
【発明が解決しようとする課題】
【０００５】
前述のように、従来の磁気テープ装置のテープ引き出し機構においては、引き出し片にリーダーテープを固定するためのテープ接合面を形成する必要があり、さらに押さえ片を固定するためのスペースが必要であった。このため、テープカートリッジが装着される磁気テープ装置において、テープ引き出し機構のテープ引き出し片を小型に形成することが困難であり、また従来のテープ引き出し機構においてはテープ引き出し片とリーダーテープとの固定が複雑な作業工程を必要としていた。
【０００６】
本発明は、前記のような従来の磁気テープ装置のテープ引き出し機構における問題点を解決するためになされたものであり、テープ引き出し機構のテープ引き出し片を小型に形成しても、テープ引き出し片とリーダーテープとの固定を簡単な構成で確実に行うことができる磁気テープ装置を提供することを目的としている。
【課題を解決するための手段】
【０００７】
上記の目的を達成するために、本発明の磁気テープ装置は、請求項１に記載したように、装着されたテープカートリッジに収納されたテープ状の記録媒体を巻き取るための巻き取りリール、
前記巻き取りリールのハブに一端が固定されたリーダーテープ、
前記リーダーテープの他端に接続され、前記テープカートリッジ内の記録媒体の端部と係合するテープ引き出し片、及び
前記巻き取りリールを駆動して前記リーダーテープと前記テープ引き出し片とともに記録媒体を巻き取るためのテープ駆動部、を具備し、
前記テープ引き出し片が、前記リーダーテープの引き出し方向と実質的に直交する方向に並設された第１の軸と第２の軸とを有し、
前記リーダーテープにおける前記テープ引き出し片に接続される端部近傍に折り返し部分が形成されており、前記折り返し部分が前記折り返し部分の先端に形成される開口部分に前記第１の軸を通し、前記折り返し部分を前記第２の軸を迂回して前記第１の軸に近接するよう配置されている。このように構成された磁気テープ装置においては、テープ引き出し機構のテープ引き出し片が小型形状であっても、テープ引き出し片とリーダーテープとの固定を確実に行うことができる。
【０００８】
また、本発明の磁気テープ装置においては、請求項２に記載したように、テープ引き出し片は、前記リーダーテープの引き出し方向と実質的に直交する方向に延設された貫通孔を有し、前記貫通孔に第１の軸と第２の軸を並設させて前記第１の軸と前記貫通孔の縁によりリーダーテープの折り返し部分を押圧するよう構成してもよい。このように構成された磁気テープ装置は、テープ引き出し片において、リーダーテープとテープ引き出し片との取付を小さいスペースで確実に行うことが可能となる。
【０００９】
また、本発明の磁気テープ装置においては、請求項３に記載したように、第２の軸が貫通孔内に固着されており、リーダーテープに張力が加わることにより、第１の軸が前記第２の軸の配置されている方向に押圧されて、前記貫通孔と嵌合するよう構成してもよい。このように構成された磁気テープ装置は、リーダーテープとテープ引き出し片との固定が確実となり信頼性の高い装置となる。
【００１０】
さらに、本発明の磁気テープ装置においては、請求項４に記載したように、第２の軸が貫通孔内に隙間を有して固着されており、第１の軸が前記貫通孔に実質的に隙間なく嵌合するよう構成してもよい。このように構成された磁気テープ装置は、リーダーテープとテープ引き出し片との取付けを容易に、且つ確実に行うことが可能となる。
【００１１】
また、本発明の磁気テープ装置においては、請求項５に記載したように、第２の軸がテープ引き出し片と一体成形により成形してもよい。このように構成された磁気テープ装置は、テープ引き出し片の強度を高くすることが可能となり、部品点数が少なく製造の容易な装置となる。
【００１２】
また、本発明の磁気テープ装置においては、請求項６に記載したように、リーダーテープにおける折り返し部分の先端に形成される開口部分以外を接着剤により互いに固定してもよい。このように構成された磁気テープ装置は、リーダーテープとテープ引き出し片との取付けを確実に行い信頼性の高い装置となる。
【発明の効果】
【００１３】
本発明に係る磁気テープ装置は、テープ引き出し機構のテープ引き出し片にテープ引き出し方向と直交する方向に２本の軸を並設し、これらの軸にリーダーテープの折り返し部分を所望の方向に掛けて２軸が対向する方向に引き合うよう構成することにより、小さいスペースでテープ引き出し片とリーダーテープとの固定を容易に、且つ確実に行うことができる。
【発明を実施するための最良の形態】
【００１４】
本発明に係るテープ引き出し機構を有する磁気テープ装置の好適な実施の形態を添付の図面を参照して説明する。
【００１５】
《実施の形態１》
図１は実施の形態１の磁気テープ装置の内部構成を示す斜視図であり、磁気テープ装置の筐体を取り除いた状態を示している。図２は実施の形態１の磁気テープ装置におけるテープ引き出し機構を示す斜視図である。図２において、テープ引き出し機構を示すために一部の部品を取り除いて示す。図３はテープ引き出し機構におけるテープ引き出し片４とリーダーテープ５、及びテープカートリッジ２の引き出しピン７等を示す拡大図である。
【００１６】
実施の形態１の磁気テープ装置１は、供給ローラを有して、磁気テープが巻き付けられて収納されたテープカートリッジ２が装着されるよう構成されており、装着されたテープカートリッジ２に収納された磁気テープを引き出して情報の記録又は再生が行われる。磁気テープ装置１には、磁気テープを引き出すためのテープ引き出し機構は、引き出した磁気テープ９を巻き取る巻き取りリール３、テープ引き出し機構や巻き取りリール３を駆動するテープ駆動部１０、及び磁気テープ９の巻き取りリール３との間の搬送を行うテープ搬送部１１により構成されている。また、実施の形態１の磁気テープ装置には、引き出された磁気テープ９の記録又は再生動作を行う記録再生部等が設けられている（図１参照）。
【００１７】
図２に示すように、実施の形態１の磁気テープ装置１においては、テープ引き出し機構のリーダーテープ５の一端が巻き取りリール３のインナーハブ６に固定されており、リーダーテープ５の他端にはテープ引き出し片４が取付けられている。テープカートリッジ２の装着時において、テープ引き出し片４は装着されたテープカートリッジ２の近傍に配置されており、装着後のテープカートリッジ２内に配置されている引き出しピン７（図３参照）と係合するよう構成されている。磁気テープ９の端部に固定された引き出しピン７がテープ引き出し片４と係合すると、リーダーテープ５が巻き取りリール３のインナーハブ６に巻き取られて、テープカートリッジ２内の磁気テープ９が引き出されていく。
【００１８】
図４は実施の形態１の磁気テープ装置におけるテープ引き出し機構の一部を示す分解図であり、図５は図４に示したテープ引き出し機構の組み立て途中の状態を示す図である。図６は図４に示したテープ引き出し機構の組立状態を示す断面図である。図７はリーダーテープ５のテープ引き出し片４への取り付け方法を示す図である。
【００１９】
図４において、テープ引き出し片４には、テープ引出し方向と直交する方向に貫通した貫通孔４ａが形成されており、この貫通孔４ａにはその上下位置（テープ引出し方向と直交する方向における位置）に軸形状の第１の軸１３と第２の軸１４が並設されている。第１の軸１３は円柱形状であり貫通孔４ａに隙間なく嵌合する形状である。第２の軸１４の両端は貫通孔４ａの左右両側に形成された凹部に嵌合し、かつ第２の軸１４の円周面と貫通孔４ａの壁面との間に隙間を有してテープ引き出し片４に固定されるよう構成されている。
【００２０】
また、テープ引き出し片４には、軸形状のガイド棒１５が取付けられるよう構成されている。このガイド棒１５はテープ引き出し片４の外側に突出した部分がテープ搬送部のガイド溝に係合して所定の経路を移動するよう構成されている。テープ引き出し片４には、Ｕ字形状の溝４ｂがその両側に形成されている。これらの溝４ｂは、磁気テープ９の先端に固着された引き出しピン７の両端部分が挿入されて係合する部分である。引き出しピン７が溝４ｂに挿入された後に、押さえ片８（図３参照）が別の駆動手段（図示なし）によりＵ字形状の溝４ｂを閉じるため、引き出しピン７はテープ引き出し片４に確実に挟着される。
【００２１】
上記のように構成された磁気テープ装置におけるテープ引き出し機構の組み立て方法、特にテープ引き出し片４とリーダーテープ５との接合方法について説明する。
【００２２】
まず、リーダーテープ５の端部に折り返し部分５ａを形成する。この折り返し部分５ａをテープ引き出し片４の上（第１の軸１３の配置される側）から貫通孔４ａを通して下側へ貫通させ、第２の軸１４を迂回して再び貫通孔４ａを通して上側に抜く。このように第２の軸１４を迂回したリーダーテープ５の折り返し部分５ａの先端部分に形成される開口部分５ｂに第１の軸１３を通す。図７はリーダーテープ５の折り返し部分５ａが第２の軸１４を迂回して第１の軸１３に取付けられた状態を示す模式図である。なお、リーダーテープ５の折り返し部分５ａにおいて、その先端部分の開口部分５ｂ（第１の軸１３が貫通する部分）以外は接着剤で互いに固着されている。
【００２３】
上記のように取付けられたリーダーテープ５において、リーダーテープ５における巻取りリール３のインナーハブ側から引っ張り力が加えられたときには、第１の軸１３は第２の軸１４の方へ接近する方向に力を受ける。このため、第１の軸１３は、その表面とテープ引き出し片４の貫通孔４ａのコーナー部分（縁）との間でリーダーテープ５を挟み込む作用が生じる。したがって、リーダーテープ５が大きな力で引っ張られてもテープ引き出し片４から離脱することが完全に防止される。一方、リーダーテープ５に加わる力が除かれたとしても、第１の軸１３は確実に貫通孔４ａに嵌合しているため、第１の軸１３の表面とテープ引き出し片４の貫通孔４ａのコーナー部分とによるリーダーテープ５の挟み込み動作は維持されており、リーダーテープ５が外れることは防止されている。
【００２４】
なお、実施の形態１においては、第２の軸１４を貫通孔４ａに形成された凹部に嵌合させて固着する構成であるが、第２の軸１４はテープ引き出し片４の製造において一体成形で構成する形態であってもよい。
また、実施の形態１においては、リーダーテープ５の折り返し部分５ａは接着剤で固定した例で説明したが、接着剤で固着する形態でなくてもよく、本発明の構成であればテープ引き出し片４とリーダーテープ５との固着強度は確保可能である。
【産業上の利用可能性】
【００２５】
本発明は、大容量、高速処理を目的としたテープカートリッジを使用するテープ引き出し機構を有する磁気テープ装置において有用である。
【図面の簡単な説明】
【００２６】
【図１】本発明に係る実施の形態１の磁気テープ装置の内部構成を示す斜視図
【図２】本発明に係る実施の形態１の磁気テープ装置におけるテープ引き出し機構を示す斜視図
【図３】本発明に係る実施の形態１の磁気テープ装置におけるテープ引き出し機構におけるテープ引き出し片４とリーダーテープ５、及びテープカートリッジ２の引き出しピン７等を示す拡大図
【図４】本発明に係る実施の形態１の磁気テープ装置におけるテープ引き出し機構の分解図
【図５】本発明に係る実施の形態１の磁気テープ装置におけるテープ引き出し機構の組み立て途中の状態を示す図
【図６】本発明に係る実施の形態１の磁気テープ装置におけるテープ引き出し機構の組立状態を示す断面図
【図７】本発明に係る実施の形態１の磁気テープ装置におけるリーダーテープ５のテープ引き出し片４への取り付け方法を示す図
【符号の説明】
【００２７】
１    磁気テープ装置
２    テープカートリッジ
３    巻き取りリール
４    引き出し片
４ａ  貫通孔
４ｂ  溝
５    リーダーテープ
５ａ  折り返し部分
５ｂ  開口部分
６    インナーハブ
７    引き出しピン
８    押さえ片
９    磁気テープ
１０    テープ駆動部
１１    テープ搬送部
１２    記録再生部
１３    第１の軸
１４    第２の軸
１５    ガイド棒
【図１】
2006018929.tif 000003
【図２】
2006018929.tif 000004
【図３】
2006018929.tif 000005
【図４】
2006018929.tif 000006
【図５】
2006018929.tif 000007
【図６】
2006018929.tif 000008
【図７】
2006018929.tif 000009